【事件の表示】
　特願２００３−３７７５８７「遊技機」拒絶査定不服審判事件〔平成１７年　６月　２日出願公開、特開２００５−１３７６１１〕について、次のとおり審決する。
【結　論】
　
　本件審判の請求は、成り立たない。
【理　由】
　
第１　手続の経緯
　
特許出願　平成１５年１１月６日（特願２００２−３３５２２６（出願日：平成１４年１１月１９日）に基づく国内優先権主張出願である特願２００３−３７６９４６（出願日：平成１５年１１月６日）の分割出願）
審査請求　平成１５年１１月６日
拒絶理由　平成１９年１月１０日
手続補正　平成１９年３月１２日
拒絶査定　平成１９年５月２９日
審判請求　平成１９年７月５日
手続補正　平成１９年７月２５日
　
第２　補正の却下の決定
　
［補正の却下の決定の結論］
　
　平成１９年７月２５日付の手続補正（以下「本件補正」という。）を却下する。
　
［理由］
　
１．本件補正前後の請求項の記載
　
　本件補正前（平成１９年３月１２日付の手続補正書）の請求項１と、本件補正後（平成１９年７月２５日付の手続補正書）の請求項１は、それぞれ次のとおりである。
　
［本件補正前の請求項１］
「遊技結果を表示する遊技結果表示手段と、
　該遊技結果表示手段に特定の遊技結果が表示された場合に、遊技者に有利な利益状態を発生させる利益状態発生手段と
を備えた遊技機において、
　前記遊技結果表示手段は、第１表示手段と、正面側から見て該第１表示手段の表示領域より手前側に設けられた第２表示手段としての液晶表示手段とを含んで構成され、
　前記第１表示手段は、一又は複数の図柄を可変表示及び停止表示可能な複数の図柄表示部を含んで構成され、
　前記液晶表示手段は、
　前記第１表示手段の表示を透過して表示できるように前記複数の図柄表示部それぞれに対応して設けられた複数の図柄表示領域と、
　これら複数の前記図柄表示領域それぞれの周囲を取り囲むように設けられた複数の窓枠表示領域と、
　前記図柄表示領域及び前記窓枠表示領域以外の表示領域であって演出画像を表示する演出表示領域と、を有し、
　前記液晶表示手段は、遊技者による操作に応じていずれかの前記図柄表示部が停止されると略同時期に、前記停止表示された前記図柄表示部に対応する前記図柄表示領域の周囲の窓枠表示領域上に所定の演出図柄を表示し、該所定の演出図柄を前記窓枠表示領域上で移動表示することを特徴とする遊技機。」
　
［本件補正後の請求項１］
「遊技結果を表示する遊技結果表示手段と、
　該遊技結果表示手段に特定の遊技結果が表示された場合に、遊技者に有利な利益状態を発生させる利益状態発生手段と
を備えた遊技機において、
　前記遊技結果表示手段は、第１表示手段と、正面側から見て該第１表示手段の表示領域より手前側に設けられた第２表示手段としての液晶表示手段とを含んで構成され、
　前記第１表示手段は、複数の図柄を可変表示及び停止表示可能な複数の図柄のそれぞれを裏側から照明する、前記液晶表示手段を駆動させる回路とは異なる駆動回路により駆動される照明手段を備えた複数の図柄表示部を含んで構成され、
　前記液晶表示手段は、
　前記第１表示手段の表示を透過して表示できるように前記複数の図柄表示部それぞれに対応して設けられた複数の図柄表示領域と、
　これら複数の前記図柄表示領域それぞれの周囲を取り囲むように設けられた複数の窓枠表示領域と、
　前記図柄表示領域及び前記窓枠表示領域以外の表示領域であって演出画像を表示する演出表示領域と、を有し、
　前記液晶表示手段は、前記複数の窓枠表示領域のそれぞれに表示窓の枠を表示し、遊技者による操作に応じていずれかの前記図柄表示部が停止されると略同時期に、前記停止表示された前記図柄表示部に対応する前記図柄表示領域の周囲の窓枠表示領域上に所定の画像を表示し、該所定の画像が前記窓枠表示領域上を周回するように該所定の画像を前記窓枠表示領域上で移動表示させ、同時に前記停止表示された図柄表示部に対応する図柄表示領域の透過率を前記照明手段の照度により変更することを特徴とする遊技機。」
　
２．本件補正の検討
　
　本件補正は、特許請求の範囲を補正することを含んでおり、請求項１については具体的には以下の点で変更するものである。
（ａ）「前記第１表示手段は、一又は複数の図柄を可変表示」を「前記第１表示手段は、複数の図柄を可変表示」に変更
（ｂ）「複数の図柄表示部」について「複数の図柄のそれぞれを裏側から照明する、前記液晶表示装置を駆動させる回路とは異なる駆動回路により駆動される照明手段を備えた」という点を限定
（ｃ）「液晶表示手段」について「前記複数の窓枠表示領域のそれぞれに表示窓の枠を表示し」という点を限定
（ｄ）「窓枠表示領域上に所定の演出図柄を表示し、該所定の演出図柄を前記窓枠表示領域上で移動表示する」を「窓枠表示領域上に所定の画像を表示し、該所定の画像が前記窓枠表示領域上を周回するように該所定の画像を前記窓枠表示領域上で移動表示させ、同時に前記停止表示された図柄表示部に対応する図柄表示領域の透過率を前記照明手段の照度により変更する」と変更
　
　そして、上記いずれの補正事項も、特許請求の範囲の減縮を目的とするものと認められる（なお、（ｄ）の補正事項における「所定の演出図柄」を「画像」に変更した点は、拒絶査定時の指摘に伴って修正を加えたものであるから、明りょうでない記載の釈明を目的とするものに該当する。）から、次に本件補正後の請求項１に係る発明（以下「本願補正発明」という。）について独立特許要件の判断を行う。
　
３．引用例
　
　原査定の拒絶の理由に引用された特開２０００−３５０８０５号公報（以下「引用文献１」という。）には、以下の記載がある。
　
【請求項１】
　複数の図柄表示部に夫々図柄をスクロール表示可能な図柄表示手段と、これら図柄表示部とその周囲部の前面側に配設された透明な前面パネルとを備えたスロットマシンにおいて、
　前記前面パネルの背面または背面近傍に、複数行複数列のドットを介してドットパターンで表示可能なマトリクス表示部を備えた光透過性のある情報表示パネルを設けたことを特徴とするスロットマシン。
【００２１】
　前記各回転リール５〜７の外周面には、「７」、「BAR 」、「スイカ」、「プラム」、「ベル」・・・などの複数種類の２１個の図柄が所定間隔おきに１列状に印刷されている。回転リール５〜７及びその外周面の複数の図柄、リール駆動モータ５１〜５３などが図柄表示手段に相当し、各回転リール５〜７のうちの前端部分の３つの図柄（図柄表示窓３ａ〜３ｃから見える３つの図柄）を表示する部分が各図柄表示部５ａ〜７ａである。ここで、入賞ラインは、後述の情報表示パネル４に表示される。ＬＥＤ表示ランプや２桁の７セグメント数字を表示する７セグメント型表示器などは設けられておらず、ＬＥＤ表示ランプの代わりの表示と２桁の７セグメント数字の表示は、情報表示パネル４を介して表示される。
【００２７】
　次に、このスロットマシン１の制御系について説明する。図５のブロック図に示すように、制御装置３５は、ＣＰＵ３６とＲＯＭ３７とＲＡＭ３８とを含むマイクロコンピュータ、入力インターフェイス３９、出力インターフェイス４０、駆動回路４１〜４５などで構成されている。入力インターフェイス３９には、メダル投入センサ５０、ベットボタン１１に連動して作動するベットスイッチ１１ａ、スタートレバー１３に連動されたスタートスイッチ１３ａ、ストップボタン１４〜１６に夫々連動されたストップスイッチ１４ａ〜１６ａ、精算ボタン１２に連動された精算スイッチ１２ａなど接続されている。
【００３１】
　乱数抽選手段６１は、スタートスイッチ１３ａからの信号と乱数発生手段６０で発生させた乱数に基づいて抽選を行なう。抽選結果判定手段６２は、乱数抽選手段６１における抽選結果を判定し、入賞を示唆するか、ビッグボーナスへの移行を示唆するか、或いはハズレを示唆するか否かの判定を行なう。停止図柄選択手段６３は、抽選結果判定手段６２における判定結果に基づいて回転リール５〜７の停止時に図柄表示窓３ａ〜３ｃに停止表示する図柄の組合せを選択する。
【００３２】
　例えば、「ダイヤ、ダイヤ、ダイヤ」、「スイカ、スイカ、スイカ」、「チェリー、─、─」（左端の回転リール５に「チェリー」の図柄を停止表示させ、他の回転リール６〜７に任意の図柄を停止表示させる）等の図柄の組合わせを選択する。ビッグボーナスへの移行を示唆する場合は、例えば「７、７、７」の図柄の組合せを選択する。レギュラーボーナスへの移行を示唆する場合は、例えば「BAR 、BAR 、BAR 」の図柄の組合せを選択する。このレギュラーボーナスは、通常遊技と比較して遊技者がより多くのメダルを獲得できるようなゲームを、所定条件が達成されるまで行なうことが可能なゲーム態様である。
【００３３】
　ビッグボーナスは、レギュラーボーナスを所定条件が達成されるまで行なうことが可能なゲーム態様であり、レギュラーボーナスを複数回行なうことにより、より一層多くのメダルを獲得することが可能となる。
　図柄停止制御手段６４は、停止図柄選択手段６３で選択された図柄の組合せと、ストップスイッチ１４ａ〜１６ａからのストップ信号に基づいて、各リール駆動モータ５１〜５３の制御を行なって、図柄表示窓３ａ〜３ｃ内に停止表示される図柄の組合せが入賞態様或いはハズレの態様となるように、回転リール５〜７を停止させるものである。
【００３８】
　更に、３枚目のメダルを投入したとき、図１２に示すように３メダル用の入賞ラインＬ４，Ｌ５が追加して、例えば４ドットの線幅で強調して太く表示される。次に、スタートレバー１３を操作すると、リール駆動モータ５１〜５３が同時に駆動され、図１３に示すように回転リール５〜７が同時に所定回転方向に回転する。尚、図柄表示部５ａ〜７ａにおいて、下向きの長い矢印はリールの回転状態を示す。このとき、入賞ラインＬ１〜Ｌ５の線幅が例えば２ドットに縮小すれば、入賞ラインＬ１〜Ｌ５の表示コントラストが薄く（細い点線にて図示）なり、図柄表示部５ａ〜７ａを移動する図柄等の下地を見易くなる。
【００４３】
　このように、前面パネル２の背面近傍に、３つの図柄表示部５ａ〜７ａよりも前方に、中パネル３の前面近傍に光透過性のある情報表示パネル４を設け、その情報表示パネル４に発光可能な多数行多数列のドットを介してドットパターンで表示可能なマトリクス表示部４ａを設けたので、このマトリクス表示部４ａに、メダル投入で有効化された入賞ラインＬ１〜Ｌ５を表示させたり、種々のアニメーションＡ１，Ａ２や説明情報やメッセージ、リーチマークＭ５や大当たりマークＭ７などを表示させることができ、ゲームを面白くし盛り上げることができ、スロットマシン１の性能を高めることができる。
　また、マトリクス表示部４ａには、前記の種々の情報以外にも、予め設定した絵図や文字列や線画などの情報をドットパターンで表示可能であるので、汎用性と自由度に優れる。
【００４４】
　しかも、情報表示パネル４は光透過性を有するので、情報表示パネル４により表示が行われていても、この情報表示パネル４を通して、図柄表示部５ａ〜７ａの図柄や中パネル３の前面に印されたその他の絵や文字などの下地が見えなくなることもなく、情報表示パネル４による表示情報と下地の情報とを重ね合わせて見ることができる。そして、マトリクス表示部４ａに必要な情報だけを表示できるので、遊技者による表示情報の確認が簡単化する。更に、情報表示パネル４のマトリクス表示部４ａに、中パネル３に設けていたＬＥＤ形の表示ランプに代わるランプマークＭ１〜Ｍ３，Ｍ１ａを表示するため、複数のＬＥＤ表示ランプを省略して構成を簡単化することができる。
　
　上記によれば「各回転リール５〜７のうちの前端部分の３つの図柄（図柄表示窓３ａ〜３ｃから見える３つの図柄）を表示する部分が各図柄表示部５ａ〜７ａである」（段落【００２１】）とあるから、段落【００３１】における「図柄表示窓３ａ〜３ｃに停止表示する図柄」、段落【００３３】における「図柄表示窓３ａ〜３ｃ内に停止表示する図柄」とは、いずれも「図柄表示部５ａ〜７ａに停止表示する図柄」と言い換えることができる。
　したがって、引用文献１における記載事項及び図面を総合的に勘案すれば、引用文献１には次の発明（以下「引用発明」という。）が記載されていると認めることができる。
「各回転リール５〜７の外周面には複数種類の２１個の図柄が所定間隔おきに１列状に印刷されており、複数の図柄表示部５ａ〜７ａに夫々図柄をスクロール表示可能な回転リール５〜７及びその外周面の複数の図柄、リール駆動モータ５１〜５３からなる図柄表示手段と、図柄表示部とその周囲部の前面側に配設された透明な前面パネル２とを備えたスロットマシンにおいて、
　乱数抽選手段６１は、スタートレバー１３に連動されたスタートスイッチ１３ａからの信号と乱数発生手段６０で発生させた乱数に基づいて抽選を行ない、抽選結果判定手段６２は、乱数抽選手段６１における抽選結果を判定し、入賞或いはハズレを示唆するか否かの判定を行ない、停止図柄選択手段６３は、抽選結果判定手段６２における判定結果に基づいて回転リール５〜７の停止時に図柄表示部５ａ〜７ａに停止表示する図柄の組合せを選択し、
　スタートレバー１３を操作すると、リール駆動モータ５１〜５３が同時に駆動され、回転リール５〜７が同時に所定回転方向に回転し、
　図柄停止制御手段６４は、停止図柄選択手段６３で選択された図柄の組合せと、ストップスイッチ１４ａ〜１６ａからのストップ信号に基づいて、各リール駆動モータ５１〜５３の制御を行なって、図柄表示部５ａ〜７ａに停止表示される図柄の組合せが入賞態様或いはハズレの態様となるように、回転リール５〜７を停止させ、
　抽選結果判定手段６２がビッグボーナスへの移行を示唆する場合は「７、７、７」の図柄の組合せを選択し、レギュラーボーナスへの移行を示唆する場合は「BAR 、BAR 、BAR 」の図柄の組合せを選択し、
　レギュラーボーナスは、通常遊技と比較して遊技者がより多くのメダルを獲得できるようなゲームを、所定条件が達成されるまで行なうことが可能なゲーム態様であり、またビッグボーナスは、レギュラーボーナスを所定条件が達成されるまで行なうことが可能なゲーム態様であり、レギュラーボーナスを複数回行なうことにより、より一層多くのメダルを獲得することが可能となり、
　前面パネル２の背面または背面近傍に、３つの図柄表示部５ａ〜７ａよりも前方に、複数行複数列のドットを介してドットパターンで種々の情報を表示可能なマトリクス表示部４ａを備えた光透過性のある情報表示パネル４を設け、情報表示パネル４は光透過性を有するので、情報表示パネル４により表示が行われていても、情報表示パネル４を通して図柄表示部５ａ〜７ａの図柄が見えなくなることがなく、前記の種々の情報以外にも、予め設定した絵図や文字列や線画などの情報をドットパターンで表示可能であるので、汎用性と自由度に優れるスロットマシン。」
　
４．対比
　
　ここで、本願補正発明と引用発明とを対比する。
　引用発明における「スロットマシン」は本願補正発明の「遊技機」に相当し、以下同様に「図柄表示手段」は「第１表示手段」に、「情報表示パネル４」は「第２表示手段」に、それぞれ相当する。
　引用発明における「図柄停止制御手段６４」は、停止表示される図柄の組合せが入賞態様或いはハズレの態様となるように制御しているから、本願補正発明の「遊技結果を表示する遊技結果表示手段」に相当すると判断することができる。
　引用発明においても「７、７、７」又は「BAR 、BAR 、BAR 」の図柄の組合せが停止表示された場合にビッグボーナス又はレギュラーボーナスへ移行するものであると判断できるから、ここで「「７、７、７」の図柄の組合せ」及び「「BAR 、BAR 、BAR 」の図柄の組合せ」は、本願補正発明の「特定の遊技結果」に相当し、また「ビッグボーナスへの移行」や「レギュラーボーナスへの移行」とは、本願補正発明の「遊技者に有利な利益状態の発生」に相当する。よって、引用発明も本願補正発明における「該遊技結果表示手段に特定の遊技結果が表示された場合に、遊技者に有利な利益状態を発生させる利益状態発生手段」を具備するものである。
　引用発明においては「情報表示パネル４」は「前面パネル２の背面または背面近傍」かつ「３つの図柄表示部５ａ〜７ａよりも前方」に設けられているから、本願補正発明の「正面側から見て該第１表示手段の表示領域より手前側に設けられた」点を満たしている。
　引用発明において「図柄表示手段」は「複数の図柄表示部５ａ〜７ａに夫々図柄をスクロール表示可能」なものであって、また「各リール駆動モータ５１〜５３の制御を行なって、図柄表示部５ａ〜７ａに停止表示される図柄の組合せが入賞態様或いはハズレの態様となるように、回転リール５〜７を停止させ」るものであるから、引用発明の「図柄表示部５ａ〜７ａ」は本願補正発明の「複数の図柄を可変表示及び停止表示可能」である点を満たしている。
　引用発明の「情報表示パネル４」は「光透過性を有するので、情報表示パネル４により表示が行われていても、情報表示パネル４を通して図柄表示部５ａ〜７ａの図柄が見えなくなることがない」のであるから、本願補正発明の「前記第１表示手段の表示を透過して表示できる」点を満たし、また「情報表示パネル４を通して図柄表示部５ａ〜７ａの図柄が見え」る領域とは、本願補正発明の「前記複数の図柄表示部それぞれに対応して設けられた図柄表示領域」に他ならない。さらに引用発明においては情報表示パネル４が「種々の情報を表示可能」であるから、引用発明と本願補正発明とは「第２表示手段はその表示態様を変化させる」点で共通している。
　
　したがって、本願補正発明と引用発明は、
「遊技結果を表示する遊技結果表示手段と、
　該遊技結果表示手段に特定の遊技結果が表示された場合に、遊技者に有利な利益状態を発生させる利益状態発生手段と
を備えた遊技機において、
　前記遊技結果表示手段は、第１表示手段と、正面側から見て該第１表示手段の表示領域より手前側に設けられた第２表示手段とを含んで構成され、
　前記第１表示手段は、複数の図柄を可変表示及び停止表示可能な複数の図柄表示部を含んで構成され、
　前記液晶表示手段は、
　前記第１表示手段の表示を透過して表示できるように前記複数の図柄表示部それぞれに対応して設けられた複数の図柄表示領域を有し、
　前記第２表示手段は、その表示態様を変化させる遊技機。」
である点で一致し、以下の各点で相違している。
　
［相違点１］
　上記一致点における「第２表示手段」について、本願補正発明は「液晶表示装置」であるのに対して、引用発明にはかかる構成がない点。
　
［相違点２］
　本願補正発明は「複数の図柄のそれぞれを裏側から照明する、前記液晶表示装置を駆動させる回路とは異なる駆動回路により駆動される照明手段」を備えているのに対して、引用発明では不明である点。
　
［相違点３］
　本願補正発明は、第２表示手段は「該図柄表示領域の周囲に設けられた窓枠表示領域と、前記図柄表示領域及び前記窓枠表示領域以外の表示領域であって演出画像を表示する演出表示領域」を有しているのに対して、引用発明においては不明である点。
　
［相違点４］
　本願補正発明においては「第２表示手段」が「前記複数の窓枠表示領域のそれぞれに表示窓の枠を表示」するのに対して、引用発明においては不明である点。
　
［相違点５］
　上記一致点における「第２表示手段は、その表示態様を変化させる」点について、本願補正発明においては「遊技者による操作に応じていずれかの前記図柄表示部が停止されると略同時期に、前記停止表示された前記図柄表示部に対応する前記図柄表示領域の周囲の窓枠表示領域上に所定の画像を表示し、該所定の画像が前記窓枠表示領域上を周回するように該所定の画像を前記窓枠表示領域上で移動表示させ」るものであるのに対して、引用発明においてはかかる構成については不明である点。
　
［相違点６］
　上記一致点における「第２表示手段は、その表示態様を変化させる」点について、本願補正発明においては、相違点５にかかる表示と同時に、「前記停止表示された図柄表示部に対応する図柄表示領域の透過率を前記照明手段の照度により変更する」ものであるのに対して、引用発明においてはかかる構成については不明である点。
　
５．相違点の判断
　
　上記相違点について検討する。
　
［相違点１について］
　リールの前面側に液晶表示装置を設ける点は、例えば特開平７−１２４２９０号公報の液晶パネル４０や特開２００１−２５２３９４号公報の透過型液晶表示器２４に示されるように周知技術（以下「周知技術１」という。）に過ぎず、引用発明の情報表示パネル４として液晶表示装置を採用することは、当業者にとって容易に設計できたことに過ぎない。
　よって、本願補正発明の相違点１にかかる構成は、引用発明及び周知技術１に基づいて当業者にとって容易に想到できたことである。
　
［相違点２について］
　いわゆるバックライトを備える点は　例えば後記の周知技術５において示されるように周知のことに過ぎない。また、その駆動回路を表示手段の駆動回路と別とすることは常識的事項に過ぎない。
　よって、本願補正発明の相違点２にかかる構成は、引用発明及び周知技術４に基づいて当業者にとって容易に想到できたことである。
　
［相違点３について］
　相違点３における「該図柄表示領域の周囲に設けられた窓枠表示領域」を有している点について、発明の詳細な説明を参照すれば、「図柄表示領域の周囲に窓枠表示領域（窓枠表示領域２２Ｌ，２２Ｃ，２２Ｒ）を設けている。すなわち、液晶表示装置３１に、窓枠表示領域を表示しているので、前述の表示窓のような開口を設けているだけの遊技機に較べ、遊技性が増す。また窓枠表示領域を画像表示している場合は、固定表示（例えば、前述の表示窓の枠を予め（製造工程等）装飾を施して表示）されたものと違い、例えば画像による表示であるため、色褪せが起こることも無く、また、その色彩、形状等を容易に設定できて好適である。」（段落【００６０】）とあるように、窓枠表示領域としての専用の構造を設けているのではなく、単にそのような表示を表示手段上で行なっているだけと解される。とすれば、窓枠表示領域を「有する」ことは、窓枠を示す表示を行う領域を「定める」ことに過ぎないものであると判断できる。
　そして、相違点３における「前記図柄表示領域及び前記窓枠表示領域以外の表示領域であって演出画像を表示する演出表示領域」を有するというものも、同様に表示手段上に専用の構造があるものではなく、単に表示手段において「図柄表示領域及び窓枠表示領域」以外の位置を指し示しているだけに過ぎない。
　一方、特開平６−２４６０４０号公報における目印表示枠７８Ｉ，８０や特開平６−２４６０４１号公報における目印表示枠８０、特開平７−２３６７３２号公報（図３，４を参照すれば、図柄の可変表示位置を枠状に囲むような表示が行われている点が図示されている。）にあるように、表示手段において窓枠を示す表示を行う点は周知技術（以下「周知技術２」という。）に過ぎない。
　そして引用発明においても、図柄表示部５ａ〜７ａの周囲部分が「窓枠」の位置に該当する領域であるが、引用発明も「前記の種々の情報以外にも、予め設定した絵図や文字列や線画などの情報をドットパターンで表示可能であるので、汎用性と自由度に優れる」ものであるから、引用発明の情報表示パネル４における表示は自由に選択設計できることに過ぎない。そして周知技術２にあるように、窓枠を示す表示自体は周知の表示態様であって、引用発明の情報表示パネル４において、窓枠の位置に該当する領域において窓枠を示す表示を行うこと、すなわち窓枠表示を行う領域を定めることに何ら阻害要因はなく、当業者にとって容易に設計できたことである。そして、上記した窓枠を示す表示を行う領域以外の領域が「演出表示領域」に該当する。
　したがって、本願補正発明の相違点３にかかる構成は、引用発明及び周知技術２に基づいて当業者にとって容易に想到できたことである。
　
［相違点４について］
　それぞれの窓枠の位置に該当する領域において窓枠を示す表示を行うことは、［相違点３について］において検討したとおり、引用発明及び周知技術２に基づいて当業者にとって容易に想到できたことである。
　
［相違点５について］
　停止操作に連動して演出画像を変化させる点は、特開２０００−１４０１９８号公報（例えば段落【０２０７】等）や特開２００１−３２１４８６号公報（例えば図５６等参照）にあるように周知技術（以下「周知技術３」という。）に過ぎない。
　そして所定の表示領域において画像が周回するような演出も、例えば特開２００２−２２４３４９号公報（図５参照）や特開平１０−３０５１３０号公報（段落【００９１】、【００９６】参照）にあるように周知の演出態様（以下「周知技術４」という。）に過ぎない。
　そして、［相違点３について］で検討したように引用発明の情報表示パネル４における表示は自由に選択設計できることに過ぎないことであって、また画像表示の変化をどこでどのように行うかも当業者の設計事項であるから、周知技術３の適用に当たりその画像の変化態様として周知技術４を採用し、また表示位置として窓枠に該当する領域で、停止操作に応じてそれぞれ画像が周回するような演出を行うことも当業者にとって容易に設計できたことである。
　したがって、本願補正発明の相違点５にかかる構成は、引用発明及び周知技術３，４に基づき、当業者にとって容易に想到できたことである。
　
［相違点６について］
　停止操作に連動していわゆるバックライトを消灯させる演出も、特開２０００−１４０１９８号公報（【要約】欄参照）、パチスロ機「サンダーＶ」（例えば、パチスロ必勝ガイド１９９８年４月号（白夜書房、１９９８年４月１日発売日）６ページの下部に、「予告機能テーブルの見方」として「■消灯…「×」は消灯無し、「数字」は消灯するリールの数です。例えば、「２」の場合は「第１・第２停止リールが消灯」と言う意味で、リールを停止させた順に消灯していきます。」と記載されている。）にあるように周知技術（以下「周知技術５」という。）に過ぎない。
　相違点５にかかる表示は停止操作に連動して行われるものであるが、周知技術５も停止操作に連動して行われるものであるから時期的な差はない。そして、演出を複数の手段を用いて行うことも慣用的になされていることであるから、相違点５にかかる表示演出にあわせて、周知技術５に基づく演出についても同時に報知演出として用いることに何ら阻害要因はない。
　なお、周知技術５の採用の結果、リールの背後からの光がなくなることとなり、その結果図柄表示領域の光透過率が変更されることは当然の帰結に過ぎない。
　したがって、本願補正発明の相違点６にかかる構成は、引用発明及び周知技術５に基づき、当業者にとって容易に想到できたことである。
　
［本願補正発明の独立特許要件の判断］
　よって、引用発明及び周知技術１〜５に基づいて、本願補正発明の上記相違点にかかる構成とすることは、当業者にとって容易に想到できることである。
　また、本願補正発明の作用効果も、引用発明及び周知技術１〜５から当業者が予測できる範囲のものである。  
　
　したがって、本願補正発明は引用発明及び周知技術１〜５に基づいて当業者が容易に発明をすることができたものであるから、特許法２９条２項の規定により特許出願の際独立して特許を受けることができない。
　
６．補正の却下の決定のむすび
　
　よって、本願補正発明が特許出願の際独立して特許を受けることができないから、本件補正は平成１８年改正前特許法１７条の２第５項で準用する同法１２６条５項の規定に違反しており、同法１５９条１項で読み替えて準用する同法５３条１項の規定により却下すべきものである。
　よって、［補正の却下の決定の結論］のとおり決定する。
　
第３　本件審判請求についての判断
　
１．本願発明の認定
　
　本件補正は上記のとおり却下されたので、本願の請求項１にかかる発明（以下「本願発明」という。）は、上記第２［理由］１．に［本件補正前の請求項１］として記載されたとおりのものである。
　
２．引用例
　
　引用文献１及びその記載事項は、上記第２［理由］３．に記載したとおりのものである。  
　
３．対比・判断
　
　上記第２［理由］２．及び５．において検討したように、本願発明に限定的減縮を加えたと認められる本願補正発明が、引用発明及び周知技術１〜５に基づいて、当業者が容易に想到できたものである。
　とすれば、本願補正発明から限定を解除した本願発明も同様に、引用発明及び周知技術１〜５に基づいて、当業者が容易に想到できたものである。
　
　したがって、本願発明は、特許法第２９条第２項の規定により特許を受けることができないものである。  
　
第４　むすび
　
　以上のとおり、本件補正は却下され、そして、本願発明は原査定の拒絶の理由に基づいて特許を受けることができないものであるから、その余の請求項について検討するまでもなく、本願は拒絶を免れない。
　
　よって、結論のとおり審決する。